(57)【要約】【課題】表示パネルの額縁領域を目立たないように見せかける。【解決手段】複数の画素（１）が配置された表示領域（Ａ１）、および表示領域（Ａ１）の周囲に形成された非表示領域である額縁領域（Ａ２）、を有する表示パネル（２）と、表示パネル（２）の面内方向の周囲を囲む筐体（５）と、を備え、表示パネル（２）の額縁領域（Ａ２）の表示領域（Ａ１）側の端部から筐体（５）の表示パネル（２）側とは反対側の端部までの範囲の少なくとも一部に、発光する発光領域（Ａ３）を有する。【選択図】図１
2017049367.tif 000002
【特許請求の範囲】
【請求項１】
複数の画素が配置された表示領域、および該表示領域の周囲に形成された非表示領域である額縁領域、を有する表示パネルと、
上記表示パネルの面内方向の周囲を囲む筐体と、を備えた表示装置であって、
上記表示パネルの上記額縁領域の上記表示領域側の端部から上記筐体の上記表示パネル側とは反対側の端部までの範囲の少なくとも一部に、発光する発光領域を有することを特徴とする表示装置。
【請求項２】
上記発光領域の発光面が、上記表示領域の面と略同一平面であることを特徴とする請求項１に記載の表示装置。
【請求項３】
上記発光領域を発光させるための発光素子を備えたことを特徴とする請求項１または２に記載の表示装置。
【請求項４】
上記発光素子から出射された光を上記発光領域に導光する導光部を備えたことを特徴とする請求項３に記載の表示装置。
【請求項５】
上記表示装置の周囲の照度を特定する照度特定部と、
上記照度特定部が特定した上記周囲の照度に応じて、上記発光素子の発光強度を調整する調整部と、を備えたことを特徴とする請求項３または４に記載の表示装置。
【請求項６】
上記複数の画素のうち上記発光領域に近い位置に配置された画素が表示する光の色を特定する表示色特定部と、
上記表示色特定部が特定した上記画素が表示する光の色に応じて、上記発光素子から出射される光の色を調整する色調整部と、を備えたことを特徴とする請求項３から５までの何れか１項に記載の表示装置。
【請求項７】
上記表示領域の上記画素を点灯させるためのバックライトを備え、
上記発光領域は、上記バックライトを光源とすることを特徴とする請求項１または２に記載の表示装置。
【請求項８】
上記発光領域は、上記複数の画素のうち上記額縁領域に近い位置に配置された画素である周縁画素を光源とし、
上記周縁画素から出射された光を上記発光領域に導光する導光体を備えることを特徴とする請求項１に記載の表示装置。
【請求項９】
請求項１から８までの何れか１項に記載の表示装置を備えたことを特徴とする電子機器。
【発明の詳細な説明】
【技術分野】
【０００１】
本発明は、複数の画素が配置された表示領域、および該表示領域の周囲に形成された非表示領域である額縁領域、を有する表示パネルを備えた表示装置、および該表示装置を備えた電子機器に関する。
【背景技術】
【０００２】
携帯電話機、電子ブック、ゲーム機、ＴＶ（テレビジョン）、アウトドアユースの公共掲示板など、表示部を有する各種電子機器に搭載される表示パネルには、通常、複数の画素によって構成される表示領域と、表示領域の外側に形成される額縁領域とが存在している。額縁領域には、一対の基板を互いに対向させるとともに、液晶材料等の表示媒体（電気光学素子）を密閉・保持するためのシール部や、画素を駆動するための駆動回路実装部等が設けられており、表示には寄与しない。
【先行技術文献】
【特許文献】
【０００３】
【特許文献１】特開２０１２−６３４６６号公報（２０１２年３月２９日公開）
【発明の概要】
【発明が解決しようとする課題】
【０００４】
このため、従来の技術では、上述した額縁領域の存在が目立つことにより、額縁領域の近傍における表示品位が悪化するという問題点がある。このような問題点を解決する技術として、特許文献１に開示された技術がある。この技術では、液晶パネルの額縁に、該額縁よりも面内側の表示領域の出射光を反射する反射面を有する三角柱状の反射部材を設けている。
【０００５】
しかしながら、上記の特許文献１に開示された技術では、表示画面を含む平面を超えて突出する突起物としての反射部材が額縁に設けられているため、装置の携帯性が損なわれ、破損の可能性があるという問題点が生じる。
【０００６】
本発明は、上記問題点に鑑みてなされたものであり、その目的は、表示パネルの額縁領域を目立たないように見せかけることができる表示装置などを実現することにある。
【課題を解決するための手段】
【０００７】
上記の課題を解決するために、本発明の一態様に係る表示装置は、複数の画素が配置された表示領域、および該表示領域の周囲に形成された非表示領域である額縁領域、を有する表示パネルと、上記表示パネルの面内方向の周囲を囲む筐体と、を備えた表示装置であって、上記表示パネルの上記額縁領域の上記表示領域側の端部から上記筐体の上記表示パネル側とは反対側の端部までの範囲の少なくとも一部に、発光する発光領域を有することを特徴としている。
【発明の効果】
【０００８】
本発明の一態様によれば、表示パネルの額縁領域を目立たないように見せかけることができるという効果を奏する。
【図面の簡単な説明】
【０００９】
【図１】本発明の実施形態１に係る表示装置の構成を示す図であり、（ａ）は、上記表示装置の表示領域の面の法線方向に沿う断面の断面図であり、（ｂ）は、上記表示装置の表示領域側からみたときの正面図である。
【図２】上記表示装置の動作の流れを示すフローチャートである。
【図３】本発明の実施形態２に係る表示装置の構成を示す図であり、（ａ）は、上記表示装置の表示領域の面の法線方向に沿う断面の断面図であり、（ｂ）は、上記表示装置の表示領域側からみたときの正面図である。
【図４】本発明の実施形態３に係る表示装置の構成を示す図であり、（ａ）は、上記表示装置の表示領域の面の法線方向に沿う断面の断面図であり、（ｂ）は、上記表示装置の表示領域側からみたときの正面図である。
【図５】本発明の実施形態４に係る表示装置の構成を示す図であり、（ａ）は、上記表示装置の表示領域の面の法線方向に沿う断面の断面図であり、（ｂ）は、上記表示装置の表示領域側からみたときの正面図である。
【図６】本発明の実施形態５に係る表示装置の構成を示す図であり、（ａ）は、上記表示装置の表示領域の面の法線方向に沿う断面の断面図であり、（ｂ）は、上記表示装置の表示領域側からみたときの正面図であり、（ｃ）は、（ａ）に示す表示装置の変形例の構成を示す断面図である。
【図７】（ａ）は、図１の（ａ）に示す表示装置の変形例の構造を示す断面図であり、（ｂ）は、図６の（ａ）に示す表示装置の変形例の構造を示す断面図である。
【発明を実施するための形態】
【００１０】
本発明の実施の形態について図１〜図６に基づいて説明すれば、次の通りである。以下、説明の便宜上、特定の実施形態にて説明した構成と同一の機能を有する構成については、同一の符号を付記し、その説明を省略する場合がある。また、各図面に記載した構成の形状、ならびに、長さ、大きさおよび幅などの寸法は、実際の形状および寸法を反映させたものではなく、図面の明瞭化と簡略化のために適宜変更している。
【００１１】
また、以下で説明する表示装置あるいは該表示装置を備えた電子機器としては、例えば、携帯電話機、電子ブック、ゲーム機、ＴＶ（テレビジョン）、アウトドアユースの公共掲示板など、表示部を有する各種電子機器が挙げられる。
【００１２】
〔実施形態１〕
図１は、本発明の実施形態１に係る表示装置（電子機器）１００ａの構成を示す図である。図１の（ａ）は、表示装置１００ａの表示領域Ａ１の面の法線方向に沿う断面の断面図である。同図に示すように、表示装置１００ａは、表示領域Ａ１および額縁領域Ａ２を有する表示パネル２、保護パネル４、筐体５、ＬＥＤ（Light Emitting Diode；発光素子）６、周囲照度検知部７、制御部８、および記憶部９を備える。
【００１３】
表示装置１００ａは、後述する表示制御部８３の制御に従って動画や静止画などの画像を表示するものである。なお、以下では、表示パネル２に液晶パネルを用いた表示装置を例に挙げて説明するが、本実施形態に係る表示装置はこれに限定されるものではない。例えば、本発明は、プラズマ表示装置（ＰＤＰ）、有機エレクトロルミネッセンス（ＥＬ）表示装置など、表示方式（表示媒体）に拘らず、直視型の表示装置に適用することができる。
【００１４】
表示パネル２の表示領域Ａ１は、複数の画素１が配置された領域であり、動画や静止画などの表示に寄与する領域である。額縁領域Ａ２は、表示領域Ａ１の周囲に形成された表示に寄与しない非表示領域である。
【００１５】
保護パネル４は、表示パネル２の表示領域Ａ１側を覆う透光性の基板であり、無色または有色の透光性を有するアクリル樹脂などのプラスチック、またはガラスなどから構成されている。
【００１６】
筐体５は、表示パネル２の側面と下面とをカバーするため、断面が凹形状となっており（不図示）、少なくとも表示パネル２の面内方向の周囲は、筐体５によって囲まれている。
【００１７】
表示パネル２の額縁領域Ａ２の表示領域Ａ１と反対側の端部と、筐体５の表示パネル２側の端部との間の位置には、発光する発光領域Ａ３が形成されている。
【００１８】
なお、本実施形態では、発光領域Ａ３が、上記の位置に形成されている例を示しているが、発光領域Ａ３の形成位置（範囲）は、これに限定されず、表示パネル２の額縁領域Ａ２の表示領域Ａ１側の端部から筐体５の表示パネル２側とは反対側の端部までの範囲の少なくとも一部に形成されていれば良い。
【００１９】
例えば、図１の（ａ）に示す筐体５を透過材料で構成すれば、筐体５上を発光領域とすることができる。但し、この場合、発光させたくない筐体５の側面（外周）などは塗料等でマスクする。
【００２０】
次に、図７の（ａ）に表示装置１００ａの変形例を示す。同図に示すように変形例の表示装置（電子機器）１００ｇでは、額縁領域Ａ２を領域Ａ２２と領域Ａ２１とに分割する。そして、筐体５側に位置する領域Ａ２２の部分を黒マスクの無い透明体（例えば、ガラス）で構成する。一方、表示領域Ａ１側の領域Ａ２１の部分に回路等を形成するとともに、この部分に黒マスクを施す。これにより、ＬＥＤ６からの光が表示パネル２の領域Ａ２２を透過するようにできるため、領域Ａ２２、すなわち額縁領域Ａ２上を発光領域とすることができる。
【００２１】
なお、表示装置１００ｇのように構成すれば、表示装置１００ａのように、表示パネル２の額縁領域Ａ２の表示領域Ａ１と反対側の端部と、筐体５の表示パネル２側の端部との間の位置に、発光領域Ａ３となる隙間は省略できる。
【００２２】
筐体５の表示パネル２の側面側の内面における表示パネル２よりも下側の位置には、発光領域Ａ３に光を供給する（発光領域Ａ３を発光させるための）光源としてのＬＥＤ６が実装されている。これにより、表示パネル２と筐体５（装置外装）との間にＬＥＤ６の光を導光し、表示パネル２の額縁領域Ａ２の近傍を発光させて表示装置１００ａの正面から額縁領域Ａ２が目立たないようにすることができる。
【００２３】
次に、図１の（ｂ）は、表示装置１００ａの表示領域Ａ１側からみたときの正面図である。同図に示すように、表示領域Ａ１の周囲における額縁領域Ａ２と筐体５との間の位置には、複数のＬＥＤ６が実装されている。
【００２４】
以上によれば、表示パネル２の額縁領域Ａ２の表示領域Ａ１側の端部から筐体５の表示パネル２側とは反対側の端部までの範囲の少なくとも一部に存在する発光領域Ａ３が発光することにより、額縁領域Ａ２を見えにくくすることができる。このため、表示パネル２の額縁領域Ａ２を目立たないように見せかけることができる。
【００２５】
また、図１の（ａ）に示すように、本実施形態の表示装置１００ａでは、発光領域Ａ３の発光面が、表示領域Ａ１の面と略同一平面となっている。このため、上記特許文献１に記載の技術のように表示画面を含む平面を超えて突出する突起物としての反射部材が額縁に設けられている形態と比較して、携帯性に優れ、破損の虞のない表示装置１００ａを実現できる。
【００２６】
次に、周囲照度検知部７は、表示装置１００ａの周囲の照度を検知するものであり、上記照度の検知結果は、後述する制御部８の照度特定部８１に通知される。
【００２７】
次に、図１の（ａ）に示すように、制御部８は、照度特定部８１、発光強度調整部８２、表示制御部８３、表示色特定部８４、および色調整部８５を備える。
【００２８】
照度特定部８１は、周囲照度検知部７による表示装置１００ａの周囲の照度の検知結果に基づき、表示装置１００ａの周囲の照度を特定するものである。照度特定部８１による表示装置１００ａの周囲の照度の特定結果は、発光強度調整部８２に通知される。
【００２９】
発光強度調整部８２は、照度特定部８１が特定した上記周囲の照度に応じて、ＬＥＤ６の発光強度を調整するものである。これにより、発光領域Ａ３の発光について、ユーザからみて眩しくないようにすることができる。
【００３０】
次に、表示制御部８３は、表示領域Ａ１に含まれる複数の画素１を駆動して、表示領域Ａ１に動画や静止画などの画像を表示させる制御を行うものである。
【００３１】
表示色特定部８４は、複数の画素１のうち発光領域Ａ３に近い位置に配置された画素が、表示制御部８３の制御により表示する光の色を特定するものである。
【００３２】
また、色調整部８５は、表示色特定部８４が特定した上記画素が表示する光の色に応じて、ＬＥＤ６から出射される光の色を調整するものである。
【００３３】
上記構成によれば、発光素子から出射される光の色を画素が表示する光の色に近づける（色相が同一または類似する色にする）ことにより、より表示装置１００ａの額縁領域Ａ２を目立たないように見せかけることができる。例えば、発光領域Ａ３の近傍の画素の表示が赤っぽい場合は、ＬＥＤ６を赤色に発光させることにより、額縁領域Ａ２を目立たないように見せかけることができる。
【００３４】
記憶部９には、上述した制御部８の各制御ブロックを動作させるための情報が、予め記録されているか、または、各制御ブロックの動作によって生成された情報が、一時的に記録される。例えば、照度特定部８１が特定する表示装置１００ａの周囲の照度の特定結果と、それに対応するＬＥＤ６の発光強度との対応関係を示す情報や、表示色特定部８４が特定する上記画素が表示する光の色と、ＬＥＤ６から出射される光の色との対応関係を示す情報などが、予め記憶部９に記録される。また、照度特定部８１による表示装置１００ａの周囲の照度の特定結果や、表示色特定部８４による複数の画素１のうち発光領域Ａ３に近い位置に配置された画素が表示する光の色の特定結果を示す情報などが記憶部９に一時的に記憶される。
【００３５】
次に、図２に基づき、表示装置１００ａの動作の流れについて説明する。図２は、表示装置１００ａの動作の流れを示すフローチャートである。
【００３６】
ステップＳ（以下、「ステップ」は省略する）１０１では、ＬＥＤ６が点灯されて、Ｓ１０２に進む。Ｓ１０２では、周囲照度検知部７が表示装置１００ａの周囲の照度を検知し、検知結果を照度特定部８１に通知して、Ｓ１０３に進む。
【００３７】
Ｓ１０３では、照度特定部８１が、周囲照度検知部７によって通知された表示装置１００ａの周囲の照度の検知結果に基づき、表示装置１００ａの周囲の照度を特定する。照度特定部８１は、上記特定結果に基づき、表示装置１００ａの周囲の照度が変化したか否かを判定し、周囲の照度が変化した場合は、Ｓ１０４に進む（ＹＥＳ）。一方、表示装置１００ａの周囲の照度が変化しなかった場合は、Ｓ１０２に戻る。
【００３８】
Ｓ１０４では、発光強度調整部８２が、照度特定部８１が特定した表示装置１００ａの周囲の照度に応じて、ＬＥＤ６の発光強度を調整して、Ｓ１０５に進む。ここで、照度特定部８１が特定した照度が、大きくなる方向に変化した場合、それに応じて、ＬＥＤ６の発光強度も大きくなる方向に調整される。また、照度特定部８１が特定した照度が、小さくなる方向に変化した場合、それに応じて、ＬＥＤ６の発光強度も小さくなる方向に調整される。
【００３９】
Ｓ１０５では、表示色特定部８４が、複数の画素１のうち発光領域Ａ３に近い位置に配置された画素が、表示制御部８３の制御により表示する光の色を特定し、その特定結果を、色調整部８５に通知してＳ１０６に進む。Ｓ１０６では、色調整部８５が、表示色特定部８４が特定した上記画素が表示する光の色に応じて、ＬＥＤ６から出射される光の色を調整する。ここで、色調整部８５は、表示色特定部８４が特定した上記画素が表示する光の色の色相と同一かまたは類似した色に、ＬＥＤ６から出射される光の色を調整する。Ｓ１０６の処理の後、Ｓ１０７で、制御部８は、表示が継続されているかを判断し、表示が継続していれば（ＹＥＳ）、処理はＳ１０２に戻り、一方、表示が継続されていなければ（ＮＯ）、処理は終了する（ＥＮＤ）。
【００４０】
〔実施形態２〕
次に、図３は、本発明の実施形態２に係る表示装置（電子機器）１００ｂの構成を示す図である。図３の（ａ）は、表示装置１００ｂの表示領域Ａ１の面の法線方向に沿う断面の断面図である。図３の（ｂ）は、表示装置１００ｂの表示領域Ａ１側からみたときの正面図である。
【００４１】
本実施形態の表示装置１００ｂは、発光領域Ａ３とＬＥＤ６との間（筐体５と表示パネル２との間）に、ＬＥＤ６から出射された光を発光領域Ａ３に導光する導光板１０が設けられている点で、実施形態１の表示装置１００ａと異なっている。上記構成によれば、表示装置１００ｂにおけるＬＥＤ６の実装位置の範囲を広げることができる。例えば、発光領域Ａ３と、ＬＥＤ６との間の距離が大きくなっても、逆に小さくなっても導光板１０の存在により、発光領域Ａ３の発光面における発光強度は、ほとんど変化しない。また、導光板１０を設けることにより、発光領域Ａ３に供給されない無駄な光を低減させることができる。導光板１０は、ＬＥＤ６から発光領域Ａ３に光を導光する効率が高い部材であれば、どのような部材を用いても良い。
【００４２】
なお、表示装置１００ｂのその他の構成、およびその動作については、上述した表示装置１００ａとほぼ同様であるので、ここでは、説明を省略する。
【００４３】
〔実施形態３〕
次に、図４は、本発明の実施形態３に係る表示装置（電子機器）１００ｃの構成を示す図である。図４の（ａ）は、表示装置１００ｃの表示領域Ａ１の面の法線方向に沿う断面の断面図である。図４の（ｂ）は、表示装置１００ｃの表示領域Ａ１側からみたときの正面図である。
【００４４】
本実施形態の表示装置１００ｃは、ＬＥＤ６が、表示パネル２の下面に配置されている点、および、発光領域Ａ３とＬＥＤ６との間が、断面形状がＬ字状の導光部材１１で光学的に結合されている（ＬＥＤ６から出射された光を発光領域Ａ３に導光する導光部材１１が設けられている）点で、実施形態１の表示装置１００ａと異なっている。上記構成によれば、表示装置１００ｃにおけるＬＥＤ６の実装位置の範囲を広げることができる。例えば、導光部材１１の配置が可能であれば、表示パネル２の下面の任意の位置に、ＬＥＤ６を設置することが可能になる。また、導光部材１１を設けることにより、発光領域Ａ３に供給されない無駄な光を低減させることができる。導光部材１１は、ＬＥＤ６から発光領域Ａ３に光を導光する効率が高い部材であれば、どのような部材を用いても良い。
【００４５】
なお、表示装置１００ｃのその他の構成、およびその動作については、上述した表示装置１００ａとほぼ同様であるので、ここでは、説明を省略する。
【００４６】
〔実施形態４〕
次に、図５は、本発明の実施形態４に係る表示装置（電子機器）１００ｄの構成を示す図である。図５の（ａ）は、表示装置１００ｄの表示領域Ａ１の面の法線方向に沿う断面の断面図である。図５の（ｂ）は、表示装置１００ｄの表示領域Ａ１側からみたときの正面図である。
【００４７】
本実施形態の表示装置１００ｄは、表示領域Ａ１の画素１を点灯させるためのバックライト１２を備え、発光領域Ａ３が、バックライト１２を光源としている点で、実施形態１の表示装置１００ａと異なっている。具体的には、バックライト１２の面内方向のサイズを、表示パネル２の面内方向のサイズよりも少し大きくして、表示パネル２の周囲からバックライト光を漏らし、この漏れたバックライト光を発光領域Ａ３に供給している。上記構成によれば、バックライト１２を光源とするので、別途発光素子を設ける必要が無い。また、バックライト１２を自動的に周囲照度に連動させれば、発光領域Ａ３の発光について、ユーザからみて眩しくないようにすることができる。
【００４８】
また、表示装置１００ｄは、制御部１３を備えている点で、表示装置１００ａと異なっている。制御部１３は、照度特定部１３１および発光強度調整部１３２を備えている。
【００４９】
照度特定部１３１は、周囲照度検知部７による表示装置１００ｄの周囲の照度の検知結果に基づき、表示装置１００ｄの周囲の照度を特定するものである。照度特定部１３１による表示装置１００ｄの周囲の照度の特定結果は、発光強度調整部１３２に通知される。
【００５０】
発光強度調整部１３２は、照度特定部１３１が特定した上記周囲の照度に応じて、バックライト１２の発光強度を調整するものである。これにより、発光領域Ａ３の発光について、ユーザからみて眩しくないようにすることができる。
【００５１】
〔実施形態５〕
次に、図６は、本発明の実施形態５に係る表示装置（電子機器）１００ｅの構成を示す図である。図６の（ａ）は、表示装置１００ｅの表示領域Ａ１の面の法線方向に沿う断面の断面図である。図５の（ｂ）は、表示装置１００ｅの表示領域Ａ１側からみたときの正面図である。
【００５２】
本実施形態の表示装置１００ｅは、発光領域Ａ３が、複数の画素１のうち額縁領域Ａ２に近い位置に配置された画素である周縁画素（額縁領域Ａ２に近い画素１ドット列〜数ドット列の画素）を用いている点、および保護パネル４の底面に上記周縁画素から出射された光を発光領域Ａ３に導光する乱反射加工面（導光体）１３ａが形成されている点で、実施形態１の表示装置１００ａと異なっている。
【００５３】
具体的には、保護パネル４の底面の額縁領域Ａ２付近を光が乱反射するように加工している。これにより画素１の表示点灯時、表示パネル２の周辺部の光が保護パネル４の底面（額縁状部の）で乱反射して額縁領域Ａ２の上部を照らすことで額縁領域Ａ２を見えにくくすることができる。
【００５４】
例えば、乱反射加工面１３ａでは、光が乱反射されるので、乱反射加工面１３aの領域では、横方向にも上方向にも光が導光される。また、乱反射加工面１３ａの領域のうち表示領域Ａ１と重なっている部分では、横方向に強く乱反射させるようにし、それ以外の部分（額縁領域Ａ２および発光領域Ａ３と重なる部分）では、徐々に上方向に乱反射させるように乱反射加工面１３ａを加工する。これにより、表示領域Ａ１は通常の見え方で見えるようにする一方、非表示領域（額縁領域Ａ２および発光領域Ａ３と重なる部分）は乱反射加工面１３aによって導光された光で見えにくくすることができる。
【００５５】
なお、本実施形態では、上記周縁画素から出射された光を発光領域Ａ３に導光する導光体の例として、保護パネル４の底面に形成した乱反射加工面１３ａを例示したが、このような形態に限定されず、上記周縁画素から出射された光を発光領域Ａ３に導光できる導光体であれば、どのようなものを用いても良い。
【００５６】
例えば、上述した表示領域Ａ１上では乱反射ではなく横方向へ反射させるように加工し、非表示領域部（額縁領域Ａ２、筐体５、および額縁領域Ａ２と筐体５との間の領域）で乱反射させるように加工しても良い。
【００５７】
上記構成によれば、特別な発光素子を設置することなく、額縁領域Ａ２を目立たないように見せかけることができる表示装置１００ｅを実現できる。
【００５８】
次に、図６の（ｃ）に基づき、図６の（ａ）に示す表示装置１００ｅの変形例である表示装置（電子機器）１００ｆの構成について説明する。本変形例の表示装置１００ｆは、乱反射加工面１３ｂが、保護パネル４の底面よりも内側の位置に形成されている点で、上述した表示装置１００ｅと異なっている。このように、乱反射加工面は、保護パネル４の底面に形成しても、保護パネル４の底面よりも内側の位置に形成しても良い。
【００５９】
なお、乱反射加工面１３ｂでは、乱反射加工面１３ａ（図６の（ａ））と同様に光が乱反射されるので、乱反射加工面１３ｂの領域では、横方向にも上方向にも光が導光される。
【００６０】
〔変形例〕
次に、図７の（ｂ）に基づき、上述した図６の（ａ）に示す表示装置１００ｅの変形例について説明する。同図に示す変形例の表示装置（電子機器）１００ｈでは、筐体５の表示パネル２の側面側の内面における表示パネル２よりも下側の位置には、発光領域Ａ３に光を供給する（発光領域Ａ３を発光させるための）光源としてのＬＥＤ６が実装されている点で表示装置１００ｅと異なっている。これにより、乱反射加工面１３ａによる光の乱反射だけでは十分な光量を確保できない場合に、ＬＥＤ６の光を追加することで非表示領域をより見にくくすることができる。
【００６１】
〔まとめ〕
本発明の態様１に係る表示装置は、複数の画素が配置された表示領域、および該表示領域の周囲に形成された非表示領域である額縁領域、を有する表示パネルと、上記表示パネルの面内方向の周囲を囲む筐体と、を備えた表示装置であって、上記表示パネルの上記額縁領域の上記表示領域側の端部から上記筐体の上記表示パネル側とは反対側の端部までの範囲の少なくとも一部に、発光する発光領域を有する構成である。
【００６２】
上記構成によれば、表示パネルの額縁領域の表示領域側の端部から筐体の表示パネル側とは反対側の端部までの範囲の少なくとも一部に存在する発光領域が発光することにより、額縁領域を見えにくくすることができる。このため、表示パネルの額縁領域を目立たないように見せかけることができる。
【００６３】
本発明の態様２に係る表示装置は、上記態様１において、上記発光領域の発光面が、上記表示領域の面と略同一平面であることが好ましい。上記構成によれば、発光領域の発光面が表示領域の面と略同一平面であるため、上記特許文献１に記載の技術のように表示画面を含む平面を超えて突出する突起物としての反射部材が額縁に設けられている形態と比較して、携帯性に優れ、破損の虞のない表示装置を実現できる。
【００６４】
本発明の態様３に係る表示装置は、上記態様１または２において、上記発光領域を発光させるための発光素子を備えていても良い。上記構成によれば、額縁領域を目立たないように見せかけることができる表示装置を実現できる。
【００６５】
本発明の態様４に係る表示装置は、上記態様３において、上記発光素子から出射された光を上記発光領域に導光する導光部を備えていても良い。上記構成によれば、表示装置における発光素子の実装位置の範囲を広げることができる。
【００６６】
本発明の態様５に係る表示装置は、上記態様３または４において、上記表示装置の周囲の照度を特定する照度特定部と、上記照度特定部が特定した上記周囲の照度に応じて、上記発光素子の発光強度を調整する調整部と、を備えていることが好ましい。上記構成によれば、発光領域の発光について、ユーザからみて眩しくないようにすることができる。
【００６７】
本発明の態様６に係る表示装置は、上記態様３〜５の何れかにおいて、上記複数の画素のうち上記発光領域に近い位置に配置された画素が表示する光の色を特定する表示色特定部と、上記表示色特定部が特定した上記画素が表示する光の色に応じて、上記発光素子から出射される光の色を調整する色調整部と、を備えていることが好ましい。上記構成によれば、発光素子から出射される光の色を画素が表示する光の色に近づけることにより、より表示装置の額縁領域を目立たないように見せかけることができる。
【００６８】
本発明の態様７に係る表示装置は、上記態様１または２において、上記表示領域の上記画素を点灯させるためのバックライトを備え、上記発光領域は、上記バックライトを光源としても良い。上記構成によれば、バックライトを光源とするので、別途発光素子を設ける必要が無い。また、バックライトを自動的に周囲照度に連動させれば、発光領域の発光について、ユーザからみて眩しくないようにすることができる。
【００６９】
本発明の態様８に係る表示装置は、上記態様１において、上記発光領域は、上記複数の画素のうち上記額縁領域に近い位置に配置された画素である周縁画素を光源とし、上記周縁画素から出射された光を上記発光領域に導光する導光体を備えていても良い。上記構成によれば、特別な発光素子を設置することなく、額縁領域を目立たないように見せかけることができる表示装置を実現できる。
【００７０】
本発明の態様９に係る電子機器は、上記態様１〜８の何れかの表示装置を備えていることが好ましい。上記構成によれば、表示パネルの額縁領域を目立たないように見せかけることができる電子機器を実現できる。
【００７１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７２】
１    画素
２    表示パネル
５    筐体
６    ＬＥＤ（発光素子）
１０    導光板（導光部）
１１    導光部材（導光部）
１２    バックライト
１３ａ  乱反射加工面（導光体）
１３ｂ  乱反射加工面（導光体）
８１    照度特定部
８２    発光強度調整部（調整部）
８４    表示色特定部
８５    色調整部
Ａ１    表示領域
Ａ２    額縁領域
Ａ３    発光領域
Ａ２２    領域（発光領域）
１００ａ〜１００ｈ  表示装置（電子機器）
【図１】
2017049367.tif 000003
【図２】
2017049367.tif 000004
【図３】
2017049367.tif 000005
【図４】
2017049367.tif 000006
【図５】
2017049367.tif 000007
【図６】
2017049367.tif 000008
【図７】
2017049367.tif 000009